(57)【要約】【課題】地震等の災害の発生によって、一時的な設置が求められたときに、迅速に設置することができ、且つ、利用者の利便性を低下させることがない自動取引処理装置を提供することにある。【解決手段】ＡＴＭ１は、入金取引、出金取引等の各種取引を利用者による入力に応じて処理する。ＡＴＭ１は、取引処理時に利用者が所持している携帯電話５を介してホスト装置２と通信し、このホスト装置２に取引可否の認証要求を送信するとともに、この認証要求にかかる認証結果を受信する。また、ＡＴＭ１は、ブルートゥース（登録商標）等の近距離無線通信で利用者が所持する携帯電話５と通信する。携帯電話５は、携帯電話網６を介してセンタのホスト装置２に接続し通信する。【選択図】図１
2013117849.tif 000002
【特許請求の範囲】
【請求項１】
近距離無線通信を行う近距離無線通信部と、
取引の開始要求を受け付ける取引開始要求受付部と、
前記取引開始要求受付部が取引の開始要求を受け付けると、処理する取引の内容を示す取引データを受け付ける取引データ受付部と、
前記取引データ受付部が受け付けた取引データに基づき、この取引の可否についての認証要求電文を作成する認証要求電文作成部と、
前記近距離無線通信部で、無線通信エリア内に位置する携帯端末に対して、公衆回線網を利用してホスト装置に回線を接続し、前記認証要求電文作成部が作成した認証要求電文を当該ホスト装置に転送するとともに、当該ホスト装置から取引の認証結果を取得して通知することを要求する認証要求部と、
前記近距離無線通信部で、無線通信エリア内に位置する携帯端末から、前記認証要求部の要求に対する応答として前記ホスト装置での取引の認証結果を受信すると、今回受信した認証結果に応じて、前記取引データ受付部が受け付けた取引データに基づく取引を処理する取引処理部と、を備えている自動取引処理装置。
【請求項２】
前記取引データ受付部は、前記近距離無線通信部で、無線通信エリア内に位置する携帯端末に対して取引データの通知を要求し、この携帯端末からの応答を取引データとして受け付ける、請求項１に記載の自動取引処理装置。
【請求項３】
前記取引データ受付部は、前記近距離無線通信部の無線通信エリア内に位置する携帯端末に対して、取引データの入力操作を案内する操作案内画面の表示にかかる画像データを送信する、請求項２に記載の自動取引処理装置。
【請求項４】
前記取引開始要求受付部は、取引の開始要求として、識別情報を記録した媒体を受け付ける、請求項１〜３のいずれかに記載の自動取引処理装置。
【請求項５】
取引を処理する自動取引処理装置と、
前記自動取引処理装置が処理する取引について、取引の可否を認証するホスト装置と、を備えた取引処理システムにおいて、
前記自動取引処理装置は、
近距離無線通信を行う近距離無線通信部と、
取引の開始要求を受け付ける取引開始要求受付部と、
前記取引開始要求受付部が取引の開始要求を受け付けると、処理する取引の内容を示す取引データを受け付ける取引データ受付部と、
前記取引データ受付部が受け付けた取引データに基づき、この取引の可否についての認証要求電文を作成する認証要求電文作成部と、
前記近距離無線通信部で、無線通信エリア内に位置する携帯端末に対して、公衆回線網を利用して前記ホスト装置に回線を接続し、前記認証要求電文作成部が作成した認証要求電文を当該ホスト装置に転送するとともに、当該ホスト装置から取引の認証結果を取得して通知することを要求する認証要求部と、を備え、
前記ホスト装置は、
前記認証要求電文が前記携帯端末から通知されたときに、その認証要求電文に基づき、取引の可否を認証する認証部と、
前記認証要求電文を転送してきた前記携帯端末に対して、前記認証部の認証結果を前記自動取引処理装置に転送することを認証結果通知部と、を備え、
さらに、前記自動取引処理装置は、
前記近距離無線通信部で、無線通信エリア内に位置する携帯端末から、前記認証要求部の要求に対する応答として前記ホスト装置での取引の認証結果を受信すると、今回受信した認証結果に応じて、前記取引データ受付部が受け付けた取引データに基づく取引を処理する取引処理部、を備えている、
取引処理システム。
【発明の詳細な説明】
【技術分野】
【０００１】
この発明は、受け付けた取引データに基づく取引を処理するときに、この取引の可否についての認証をセンタに設置しているホスト装置に要求し、該ホスト装置での認証結果に応じて取引を処理する自動取引処理装置、および、この自動取引処理装置とホスト装置とを備える取引処理システムに関する。
【背景技術】
【０００２】
従来、金融機関では、現金自動預け払い機（以下、ＡＴＭと言う。）等の自動機を店舗に設置している。ＡＴＭ等の自動機は、入金取引、出金取引等の各種取引を利用者の入力操作に応じて処理する。自動機は、取引を処理するときに、センタに設置しているホスト装置に対して取引の可否についての認証を要求し、ホスト装置での認証結果が取引可であった取引のみ処理している。言い換えれば、ホスト装置での認証結果が取引否（取引不可）であった取引については、取引を中止している。
【０００３】
ホスト装置は、開設されている口座毎に、口座開設者の氏名、口座開設者の住所、暗証番号、取引履歴、現在の口座残高等、その口座の管理に必要な口座管理情報を記憶している。ホスト装置は、記憶している口座管理情報を用いて、自動機から要求された取引について、その可否にかかる認証を行う。また、ホスト装置は、自動機で取引が処理されると、処理された取引に基づき、口座管理情報等を更新する。
【０００４】
また、ＡＴＭ等の自動機と、ホスト装置と、を専用回線（有線）で接続せず、利用者が所持する携帯電話等の携帯端末を利用して、自動機がホスト装置（ホストコンピュータ）に取引の認証を要求するシステムも提案されている（特許文献１参照）。この特許文献１は、ＡＴＭ等の自動機と、ホスト装置（ホストコンピュータ）と、の間における通信を、利用者が所持する携帯端末を介して行う構成である。
【先行技術文献】
【特許文献】
【０００５】
【特許文献１】特開２０１０−４９６４５号公報
【発明の概要】
【発明が解決しようとする課題】
【０００６】
しかしながら、これまであまり想定されていなかったが、地震等の災害の発生によって、自動機自体が損傷したり、ホスト装置との接続に使用する専用回線の切断等が生じたり、多くの自動機が使用できない状況になることがある。すなわち、災害の発生により、自動機の一時的な設置が求められても、設置する自動機と、ホスト装置とを接続する回線を用意しなければならず、この回線を用意（敷設）するのに長い期間を要し、自動機が設置されるまでにかかる期間も長くなる。
【０００７】
このようなことから、地震等の災害の発生によって、自動機の一時的な設置が求められたときに、自動機を迅速に設置するための対応が要望されている。
【０００８】
一方、特許文献１に示されている構成であれば、ＡＴＭ等の自動機と、センタ（ホストコンピュータ）と、を専用回線（有線）で接続しないので、災害の発生により、自動機の一時的な設置が求められたときに、回線を敷設する工事が不要になる。したがって、自動機の一時的な設置が迅速に行える。しかし、特許文献１の構成は、利用者がインタネットバンキングにかかる契約を締結していることを条件にしている。したがって、この契約を締結していない利用者は、自動機を利用することができない。
【０００９】
また、特許文献１は、事前に取引内容をホスト装置（ホストコンピュータ）に登録する必要がある。すなわち、地震等の災害の発生時にも、事前に取引内容をホスト装置（ホストコンピュータ）に登録する操作を利用者に行わせることになり、利用者の利便性がよくないという問題がある。
【００１０】
この発明の目的は、地震等の災害の発生によって、一時的な設置が求められたときに、迅速に設置することができ、且つ、利用者の利便性を低下させることがない自動取引処理装置、および取引処理システムを提供することにある。
【課題を解決するための手段】
【００１１】
この発明の自動取引処理装置は、上記課題を解決し、その目的を達するために以下のように構成している。
【００１２】
近距離無線通信部が、ブルートゥース（登録商標）等の近距離無線通信を行う。取引開始要求受付部が、取引の開始要求を受け付ける。例えば、取引の開始要求として、識別情報を記録したカード等の媒体を受け付けてもよいし、本体に設けた取引開始ボタンの操作を受け付けてもよい。
【００１３】
取引データ受付部が、取引開始要求受付部が取引の開始要求を受け付けると、処理する取引の内容を示す取引データを受け付ける。認証要求電文作成部が、取引データ受付部が受け付けた取引データに基づき、この取引の可否についての認証要求電文を作成する。
【００１４】
また、認証要求部が、近距離無線通信部で、無線通信エリア内に位置する携帯端末に対して、公衆回線網を利用してホスト装置に回線を接続し、認証要求電文作成部が作成した認証要求電文を当該ホスト装置に転送するとともに、当該ホスト装置から取引の認証結果を取得して通知することを要求する。携帯端末は、例えば携帯電話網（公衆回線網）を利用して任意の相手局に接続することができる公知の携帯電話である。
【００１５】
さらに、取引処理部が、近距離無線通信部で、無線通信エリア内に位置する携帯端末から、認証要求部の要求に対する応答としてホスト装置での取引の認証結果を受信すると、今回受信した認証結果に応じて、取引データ受付部が受け付けた取引データに基づく取引を処理する。
【００１６】
このように、自動取引処理装置は、ホスト装置への取引の認証要求の送信、およびホスト装置からの認証結果の受信を、携帯電話網等の公衆回線網を利用して任意の相手局に接続できる携帯端末を介して行う。したがって、自動取引処理装置は、専用回線でホスト装置と接続されていない状態であっても、ホスト装置における認証結果に応じて取引を処理することができる。このため、地震等の災害の発生により、自動取引処理装置の一時的な設置が求められたとき、設置する自動取引処理装置と、ホスト装置とを接続する回線を用意しなくてもよい。したがって、地震等の災害の発生により、自動取引処理装置の一時的な設置が求められたときに、その設置が迅速に行える。
【００１７】
なお、携帯端末は、利用者が所有する携帯電話等であってもよいし、自動取引処理装置に備えつけたものであってもよい。
【００１８】
また、利用者は、インタネットバンキングにかかる契約を締結している必要はなく、事前に取引内容をホスト装置に登録する操作を行う必要もないので、利用者の利便性を低下させることがない。
【００１９】
また、取引データ受付部は、近距離無線通信部で、無線通信エリア内に位置する携帯端末に対して取引データの通知を要求し、この携帯端末からの応答を取引データとして受け付ける、構成としてもよい。
【００２０】
さらに、取引データ受付部は、近距離無線通信部の無線通信エリア内に位置する携帯端末に対して、取引データの入力操作を案内する操作案内画面の表示にかかる画像データを送信する、構成としてもよい。
【００２１】
このように構成すれば、操作部や表示部を自動取引処理装置本体に設けなくてもよいので、自動取引処理装置本体を小型にできる。これにより、自動取引処理装置本体を設置する設置スペースの確保も容易に行える。
【発明の効果】
【００２２】
この発明によれば、地震等の災害の発生によって、一時的な設置が求められたときに、迅速に設置することができる。また、利用者の利便性を低下させることもない
【図面の簡単な説明】
【００２３】
【図１】取引処理システムを示す概略図である。
【図２】ＡＴＭの外観を示す概略図である。
【図３】ＡＴＭの主要部の構成を示すブロック図である。
【図４】ホスト装置の主要部の構成を示すブロック図である。
【図５】携帯電話の主要部の構成を示すブロック図である。
【図６】ＡＴＭの動作を示すフローチャートである。
【図７】携帯電話の表示画面例を示す図である。
【図８】携帯電話の表示画面例を示す図である。
【図９】携帯電話の表示画面例を示す図である。
【図１０】携帯電話の表示画面例を示す図である。
【図１１】ホスト装置の動作を示すフローチャートである。
【発明を実施するための形態】
【００２４】
以下、この発明の実施形態である取引処理システムについて説明する。
【００２５】
図１は、この発明の実施形態である取引処理システムを示す概略図である。この取引処理システムは、複数の現金自動預け払い機１（以下、ＡＴＭ１と言う。）と、センタに設置しているホスト装置２と、を備えている。
【００２６】
ＡＴＭ１は、入金取引、出金取引等の各種取引を利用者による入力に応じて処理する。ＡＴＭ１は、取引処理時に利用者が所持している携帯電話５を介してホスト装置２と通信する。また、このＡＴＭ１は、本体の小型化（設置スペースの低減）を図る目的で、一般的なＡＴＭが備える表示部や入力操作部等、一部の機能を備えていない。
【００２７】
ＡＴＭ１は、ブルートゥース（登録商標）等の近距離無線通信で利用者が所持する携帯電話５と通信する。携帯電話５は、携帯電話網６を介してセンタのホスト装置２に接続し通信する。
【００２８】
図１では、特に図示していないが、携帯電話網６と、ホスト装置２との間に通信サーバを備えている。
【００２９】
また、ホスト装置２は、開設されている口座毎に、口座開設者の氏名、口座開設者の住所、暗証番号、取引履歴、現在の口座残高等、その口座の管理に必要な口座管理情報を記憶している。
【００３０】
携帯電話５には、ＡＴＭ１で取引を行うときに、このＡＴＭ１の操作端末として機能させるアプリケーションプログラムがインストールされている。携帯電話５は、ＡＴＭ１からの指示にしたがって、このアプリケーションプログラムを起動する。なお、この携帯電話５は、ＡＴＭ１を利用する利用者が所有するものであってもよいし、ＡＴＭ１に備え付けられているものであってもよい。
【００３１】
図２は、ＡＴＭの外観を示す図である。図３は、ＡＴＭの主要部の構成を示すブロック図である。ＡＴＭ１は、主制御部１１と、紙幣処理部１２と、カード・明細票処理部１３と、近距離無線通信部１４と、を備えている。
【００３２】
主制御部１１は、ＡＴＭ１本体各部の動作を制御する。
【００３３】
紙幣処理部１２は、入出金紙幣を処理する。本体正面には、入出金紙幣を収納する紙幣入出金口１２ａを設けている。この紙幣入出金口１２ａには、シャッタが設けられている。また、紙幣入出金口１２ａには、入金紙幣、出金紙幣、および返却紙幣の収納場所を区別する仕切り板が設けられている。紙幣処理部１２は、このシャッタの開閉により、紙幣入出金口１２ａに対する紙幣の投入や取り出しを制限する。また、紙幣処理部１２は、ＡＴＭ１本体内部に設けられている紙幣搬送路に沿って紙幣を搬送する。紙幣搬送路は、ＡＴＭ１本体に収納している、金種別カートリッジ、回収カートリッジ、一次保留部、紙幣入出金口１２ａを結んでいる。また、紙幣搬送路の途中には、搬送している紙幣毎に、その紙幣の金種や真偽を識別する紙幣識別部（不図示）を有している。紙幣識別部は、紙幣から読み取った光学パターンや、磁気パターン等に基づいて、その紙幣の金種や真偽を識別する。
【００３４】
カード・明細票処理部１３は、本体正面に設けたカード挿入口１３ａに挿入されたキャッシュカード（以下、単にカードと言う。）を取り込み、このカードの磁気ストライプに記録されているカード情報（金融機関番号、店舗番号、口座番号等）の読み取りや、カード情報の書き換え等を行う。また、挿入されたカードがＩＣカードである場合には、必要に応じて、そのカードのＩＣチップに記録されているデータの読み取りや、書き換えも行う。さらに、カード・明細票処理部１３は、取引内容を帳票に印字する印字部（不図示）を有する。カード・明細票処理部１３は、取引内容を印字した帳票を本体正面に設けた明細票放出口１３ｂに放出する。
【００３５】
近距離無線通信部１４は、ブルートゥース（登録商標）等の近距離無線通信で相手局（ここでは携帯電話５）との通信を制御する。近距離無線通信部１４の無線通信エリアは、ＡＴＭ１本体前面に配置した近距離無線通信アンテナ１４ａから１ｍ程度の範囲である。
【００３６】
このＡＴＭ１は、本体の小型化のために、一般的なＡＴＭが備える、表示部、入力操作部、通帳処理部、硬貨処理部を備えていない。なお、ＡＴＭ１は、これらの構成を備えたものであってもよい。
【００３７】
図４は、ホスト装置の主要部の構成を示すブロック図である。ホスト装置２は、ホスト装置２は、制御部２１と、通信部２２と、記憶部２３と、を有している。制御部２１は、ホスト装置２本体各部を制御する。通信部２２は、携帯電話網６や専用回線等を介して、相手局（携帯電話５や専用回線で接続されているＡＴＭ）との通信を制御する。記憶部２３は、金融機関が開設した口座毎に、口座開設者の氏名、口座開設者の住所、暗証番号、取引履歴、現在の口座残高等、その口座の管理に必要な口座管理情報を記憶する。
【００３８】
図５は、携帯電話の主要部の構成を示すブロック図である。この携帯電話５は、一般に普及しているものであり、制御部５１と、表示部５２と、入力操作部５３と、近距離無線通信部５４と、携帯電話網通信部５５と、を備えている。
【００３９】
制御部５１は、携帯電話５本体各部の動作を制御する。
【００４０】
表示部５２は、携帯電話５本体に設けられた表示器における画面表示を制御する。
【００４１】
入力操作部５３は、携帯電話５本体に設けられたダイヤルキー等の操作を検知し、本体に対する入力操作を受け付ける。
【００４２】
近距離無線通信部５４は、ブルートゥース（登録商標）等の近距離無線通信で相手局（ここではＡＴＭ１）との通信を制御する。近距離無線通信部５４の無線通信エリアは、携帯電話本体から１ｍ程度の範囲である。
【００４３】
携帯電話網通信部５５は、携帯電話網６を介して接続した相手局（ホスト装置２等）との通信を制御する。
【００４４】
次に、この取引処理システムの動作について説明する。図６は、ＡＴＭの動作を示すフローチャートである。このＡＴＭ１で取引を行う利用者は、携帯電話５を所持している。
【００４５】
ＡＴＭ１は、利用者がカードをカード挿入口１３ａに挿入するのを待っている（ｓ１）。ＡＴＭ１は、カード挿入口１３ａにカードが挿入されると、挿入されたカードをカード・明細票処理部１３で受け付ける（ｓ２）。ｓ２では、カード・明細票処理部１３が、カード挿入口１３ａに挿入されたカードに記録されているカード情報（金融機関番号、店舗番号、口座番号等）を読み取る。ＡＴＭ１は、カード挿入口１３ａにおけるカードの挿入を、取引開始要求として受け付ける。
【００４６】
ＡＴＭ１は、近距離無線通信部１４において、通信エリア内に位置する携帯電話５に対してポーリングを行う（ｓ３）。近距離無線通信部１４の無線通信エリアは、近距離無線通信アンテナ１４ａから１ｍ程度の範囲であるので、今回カードを挿入した利用者が所持している携帯電話５が、このポーリングに対して応答する。
【００４７】
ＡＴＭ１は、ｓ３で行ったポーリングに対する応答を受信すると、今回応答した携帯電話５に対して、インストールされているＡＴＭ１の操作端末として機能させるアプリケーションプログラムの起動を指示する（ｓ４、ｓ５）。
【００４８】
一方、ＡＴＭ１は、一定時間待っても、ｓ３で行ったポーリングに対する応答を受信することがなければ、今回受け付けたカードをカード挿入口１３ａに放出し、取引を中止する取引中止処理を行い（ｓ４、ｓ６）、本処理を終了する。ＡＴＭ１は、今回カードを挿入した利用者が、携帯電話５を所持していない（取引が行えない。）と判断している。
【００４９】
ＡＴＭ１は、ｓ５でアプリケーションプログラムの起動指示を行うと、取引内容を示す取引データの入力受付処理を行う（ｓ７）。
【００５０】
ｓ７は、近距離無線通信部１４において、取引内容の入力要求を携帯電話５に送信し、この携帯電話５からの応答を受信する処理である。例えば、ＡＴＭ１は、近距離無線通信部１４において、取引種別の選択要求を送信する。図７は、この取引種別の選択要求を近距離無線通信部５４で受信した携帯電話５の表示部５２の表示画面例である。利用者は、携帯電話５のダイヤルキーを操作して、取引種別を入力する。携帯電話５は、近距離無線通信部５４において、入力された取引種別をＡＴＭ１に送信する。これにより、ＡＴＭ１は、利用者が選択した取引種別を取得する。ＡＴＭ１は、ここで取得した取引種別の取引を処理するにあたり、利用者に入力させる必要がある取引データを判断する。
【００５１】
例えば、ＡＴＭ１は、取引種別が出金取引であれば、利用者に入力させる取引データは、暗証番号、出金金額、および出金金額の確認である。この場合、ＡＴＭ１は、近距離無線通信部１４において、暗証番号の入力要求を送信する。図８は、この暗証番号の入力要求を近距離無線通信部５４で受信した携帯電話５の表示部５２の表示画面例である。利用者は、携帯電話５のダイヤルキーを操作して、暗証番号を入力する。携帯電話５は、近距離無線通信部５４において、入力された暗証番号をＡＴＭ１に送信する。これにより、ＡＴＭ１は、利用者が入力した暗証番号を取得する。ＡＴＭ１は、暗証番号を取得すると、近距離無線通信部１４において、出金金額の入力要求を送信する。図９は、この出金金額の入力要求を近距離無線通信部５４で受信した携帯電話５の表示部５２の表示画面例である。利用者は、携帯電話５のダイヤルキーを操作して、出金金額を入力する。携帯電話５は、近距離無線通信部５４において、入力された出金金額をＡＴＭ１に送信する。これにより、ＡＴＭ１は、利用者が入力した出金金額を取得する。さらに、ＡＴＭ１は、近距離無線通信部１４において、出金金額の確認要求を送信する。図１０は、この出金金額の確認要求を近距離無線通信部５４で受信した携帯電話５の表示部５２の表示画面例である。利用者は、携帯電話５のダイヤルキーを操作して、出金金額の確認入力を行う。携帯電話５は、近距離無線通信部５４において、入力された確認入力（確認、または取り消し）をＡＴＭ１に送信する。これにより、ＡＴＭ１は、利用者が出金金額を確認したのか、取り消したのかを取得する。ＡＴＭ１は、利用者が出金金額を取り消した場合は、再度出金金額の入力要求、および出金金額の確認要求を行う。
【００５２】
また、ＡＴＭ１は、取引種別が入金取引であれば、紙幣入出金口１２ａのシャッタを開し、紙幣入出金口１２ａへの紙幣（入金紙幣）の投入を受け付け、該シャッタを閉した後に、紙幣識別部で入金紙幣の金種や真偽を識別し入金金額を算出する。ＡＴＭ１は、入金金額を算出すると、近距離無線通信部１４において、この入金金額の確認要求を送信し、携帯電話５からの確認入力を取引データとして受け付ける。
【００５３】
また、ＡＴＭ１は、取引種別が残高照会であれば、取引データが不要であると判断する。
【００５４】
ＡＴＭ１は、ｓ７で、今回選択された取引種別の取引を処理するのに必要な全ての取引データの入力を受け付けると、ホスト装置２に対して送信する取引の可否についての認証要求電文を作成する（ｓ８）。この認証要求電文には、口座番号、取引種別、取引データ（暗証番号、出金金額、入金金額等）が含まれている。また、ｓ８では、このシステムで予め定めている暗号鍵を用いて、認証要求電文を暗号化している。携帯電話５は、暗号化された認証要求電文を復号化することはできない（復号鍵を記憶していない。）。
【００５５】
ＡＴＭ１は、近距離無線通信部１４において、携帯電話５に対して、携帯電話網６を介してホスト装置２に接続することを指示する（ｓ９）。携帯電話５は、ＡＴＭ１からの接続指示を近距離無線通信部５４で受信すると、携帯電話網通信部５５においてホスト装置２への発信処理を実行し、ホスト装置２との通信路を形成する（回線を接続する。）。
【００５６】
ＡＴＭ１は、近距離無線通信部１４において、携帯電話５に対して、ｓ８で作成した認証要求電文をホスト装置２に転送することを指示する（ｓ１０）。このとき、ＡＴＭ１は、近距離無線通信部１４において、暗号化した認証要求電文を携帯電話５に送信している。
【００５７】
携帯電話５は、ＡＴＭ１から送信されてきた認証要求電文を近距離無線通信部５４で受信する。携帯電話５は、携帯電話網通信部５５が受信した認証要求電文を、携帯電話網６を介してホスト装置２に送信（転送）する。
【００５８】
図１１は、ホスト装置の動作を示すフローチャートである。
【００５９】
ホスト装置２は、携帯電話網６を介して送信（転送）されてきた認証要求電文を通信部２２で受信すると（ｓ２１）、受信した認証要求電文を復号する（ｓ２２）。ホスト装置２は、復号した認証要求電文に基づき、取引の可否を認証する認証処理を行う（ｓ２３）。ｓ２３では、暗証番号の一致／不一致や、残高不足かどうか等を判断し、取引の可否を認証する。
【００６０】
ホスト装置２は、認証結果を、通信部２２において、携帯電話網６を介して今回認証要求電文を送信してきた携帯電話５に返信する（ｓ２４）。このとき、ホスト装置２は、携帯電話５に対して、認証結果をＡＴＭ１に転送することを指示している。携帯電話５は、携帯電話網通信部５５で認証結果を受信すると、これを近距離無線通信部５４においてＡＴＭ１に送信（転送）する。
【００６１】
ホスト装置２は、ｓ２３における認証結果が取引可であれば、記憶部２３に記憶している口座管理情報を更新し（ｓ２５、ｓ２６）、本処理を終了する。
【００６２】
なお、ホスト装置２は、ｓ２３における認証結果が取引不可（取引否）であれば、ｓ２６にかかる処理を行うことなく、本処理を終了する。
【００６３】
ＡＴＭ１は、近距離無線通信部１４でホスト装置２からの認証結果を受信すると（ｓ１１）、その認証結果が取引可であるか、否であるかを判断する（ｓ１２）。ＡＴＭ１は、ｓ１２で取引可であると判定すると、取引処理を行い（ｓ１３）、本処理を終了する。ｓ１３では、出金処理や入金処理を行うとともに、ｓ２で受け付けたカードの返却や、今回の取引にかかる取引明細票の発行処理等を行う。一方、ＡＴＭ１は、ｓ１２で取引否であると判定すると、ｓ６で取引を中止する取引中止処理を行い、本処理を終了する。
【００６４】
このように、この取引処理システムでは、ＡＴＭ１とホスト装置２とが専用回線で接続されていなくても、利用者が所持する携帯電話５を利用して、取引を処理することができる。このため、地震等の災害の発生により、ＡＴＭ１の一時的な設置が求められたとき、設置するＡＴＭ１と、ホスト装置２とを接続する回線を用意しなくてもよい。したがって、地震等の災害の発生により、ＡＴＭ１の一時的な設置が求められたときに、その設置が迅速に行える。
【００６５】
また、利用者は、インタネットバンキングにかかる契約を締結している必要はなく、事前に取引内容をホスト装置に登録する操作を行う必要もないので、利用者の利便性を低下させることがない。
【００６６】
また、上述の説明では、携帯電話５は、ＡＴＭ１からの取引種別や、取引データの入力要求を表示部に表示するとしたが、通話機能として備えているスピーカから音声で入力要求を利用者に伝える構成としてもよい。また、通話機能として備えているマイクロフォンを利用し、携帯電話５における、取引種別や、取引データの入力が音声入力で行えるようにしてもよい。
【００６７】
また、本願発明は、上述したＡＴＭ１や、このＡＴＭ１を備える取引処理システムに限定されるものではなく、自動取引処理装置で処理する取引について、センタに設置しているホスト装置で取引の可否を認証するシステム、例えばチケット販売システム、であれば適用できる。
【符号の説明】
【００６８】
１…ＡＴＭ（現金自動預け払い機）
２…ホスト装置
５…携帯電話
６…携帯電話網
１１…主制御部
１２…紙幣処理部
１２ａ…紙幣入出金口
１３…明細票処理部
１３ａ…カード挿入口
１３ｂ…明細票放出口
１４…近距離無線通信部
１４ａ…近距離無線通信アンテナ
２１…制御部
２２…通信部
２３…記憶部
５１…制御部
５２…表示部
５３…入力操作部
５４…近距離無線通信部
５５…携帯電話網通信部
【図１】
2013117849.tif 000003
【図２】
2013117849.tif 000004
【図３】
2013117849.tif 000005
【図４】
2013117849.tif 000006
【図５】
2013117849.tif 000007
【図６】
2013117849.tif 000008
【図７】
2013117849.tif 000009
【図８】
2013117849.tif 000010
【図９】
2013117849.tif 000011
【図１０】
2013117849.tif 000012
【図１１】
2013117849.tif 000013